(57)【要約】      （修正有）【課題】電子機器筐体の大きさが変更となった場合に、簡単に付替えができ、又ボルト等の部品の落下紛失が生じない取付け構造の提供。【解決手段】取付け台１に電子機器筐体が取付けられる電子機器筐体の取付け構造に於いて、前記電子機器筐体の後端が該電子機器筐体に嵌合するガイドピン６を介して前記取付け台に固定され、前記ガイドピンが突設された位置決めブロック２１を両端に有する位置決め具１７が前記取付け台に抜止め螺子２７により固定され、前記取付け台には前記電子機器筐体の大きさに応じて前記位置決め具の取付け位置を変更可能な様に複数箇所に前記抜止め螺子用の螺子孔３０を設ける。【選択図】図１
2006351879.tif 000002
【特許請求の範囲】
【請求項１】
取付け台に電子機器筐体が取付けられる電子機器筐体の取付け構造に於いて、前記電子機器筐体の後端が該電子機器筐体に嵌合するガイドピンを介して前記取付け台に固定され、前記ガイドピンが突設された位置決めブロックを両端に有する位置決め具が前記取付け台に抜止め螺子により固定され、前記取付け台には前記電子機器筐体の大きさに応じて前記位置決め具の取付け位置を変更可能な様に複数箇所に前記抜止め螺子用の螺子孔が設けられたことを特徴とする電子機器筐体の取付け構造。
【発明の詳細な説明】
【技術分野】
【０００１】
本発明は電子機器筐体の取付け構造、特に電子機器を取付け台、或は架台に取付ける場合に、電子機器筐体の大きさに変更があった場合にも容易に対応が可能な電子機器筐体の取付け構造に関するものである。
【背景技術】
【０００２】
図８、図９は、従来の電子機器筐体の取付け構造を示し、特に電子機器筐体を取付け台に位置決め、取付けする場合を示している。
【０００３】
取付け台１には、後側左右に位置決めブロック２が２個、それぞれ４本のボルト３により固着され、前端左右にはファスナ４，４がボルト５により取付けられている。
【０００４】
前記位置決めブロック２は、水平方向に突出するテーパ状のガイドピン６を有している。前記ファスナ４は、前記ボルト５により前記取付け台１に固着される金具７と該金具７に枢着された揺動ボルト８、該揺動ボルト８に螺合された椀状のナット９により構成されている。
【０００５】
電子機器筐体１１の背面には、前記ガイドピン６が嵌合する係合孔（図示せず）が設けられており、前面には上部に取手１２、下端左右にフック１３，１３が設けられている。下端左右の該フック１３，１３は略Ｌ字形をしており、前方に鉤片１３ａが突出している。
【０００６】
前記取付け台１を前記電子機器筐体１１に取付ける場合は、該電子機器筐体１１を前記取付け台１に載置した後、後方にスライドさせ、前記ガイドピン６を電子機器筐体１１の背面の前記係合孔に嵌合させる。
【０００７】
前記ナット９を持上げて前記揺動ボルト８を水平状態として、前記ナット９を締込むと、前記鉤片１３ａが前記ナット９に内嵌して前記フック１３が前記ナット９により前記取付け台１に固定される。前記電子機器筐体１１は後側の前記位置決めブロック２，２と前側の前記ファスナ４，４により前後計４カ所で前記取付け台１に固定される。
【０００８】
次に図１０により、大きさの異なる電子機器筐体１５を前記取付け台１に取付ける場合を説明する。尚、図１０中、図８、図９中で示したものと同一のものには同符号を付してある。
【０００９】
前記取付け台１には、大きさの異なる（奥行長さの異なる）電子機器筐体１５を取付けられる様になっており、前記取付け台１には、前記位置決めブロック２を前側に付替える為の取付け用の螺子孔１６が予め穿設されている。
【００１０】
大きさの小さい前記電子機器筐体１５を取付ける場合は、前記位置決めブロック２を前側に移動して前記取付け台１に固定する。前記電子機器筐体１５は、背面の前記係合孔を前記ガイドピン６に嵌合させ、前記ファスナ４を下端左右の前記フック１３に係合させて、前記電子機器筐体１５を前記取付け台１に取付ける。
【００１１】
上記した様に、大きさの異なる前記電子機器筐体１１と前記電子機器筐体１５とを付替える場合は、前記位置決めブロック２を外して移動するが、この場合、各前記位置決めブロック２についてそれぞれ４本の前記ボルト３を着脱する必要がある。
【００１２】
付替える電子機器筐体が複数台となると、作業が非常に繁雑となり、又前記ボルト３は完全に外さなければならないので、落下紛失の虞れがある。
【発明の開示】
【発明が解決しようとする課題】
【００１３】
本発明は斯かる実情に鑑み、電子機器筐体の大きさが変更となった場合に、簡単に付替えができ、又ボルト等の部品の落下、紛失が生じない様にするものである。
【課題を解決するための手段】
【００１４】
本発明は、取付け台に電子機器筐体が取付けられる電子機器筐体の取付け構造に於いて、前記電子機器筐体の後端が該電子機器筐体に嵌合するガイドピンを介して前記取付け台に固定され、前記ガイドピンが突設された位置決めブロックを両端に有する位置決め具が前記取付け台に抜止め螺子により固定され、前記取付け台には前記電子機器筐体の大きさに応じて前記位置決め具の取付け位置を変更可能な様に複数箇所に前記抜止め螺子用の螺子孔が設けられた電子機器筐体の取付け構造に係るものである。
【発明の効果】
【００１５】
本発明によれば、取付け台に電子機器筐体が取付けられる電子機器筐体の取付け構造に於いて、前記電子機器筐体の後端が該電子機器筐体に嵌合するガイドピンを介して前記取付け台に固定され、前記ガイドピンが突設された位置決めブロックを両端に有する位置決め具が前記取付け台に抜止め螺子により固定され、前記取付け台には前記電子機器筐体の大きさに応じて前記位置決め具の取付け位置を変更可能な様に複数箇所に前記抜止め螺子用の螺子孔が設けられたので、電子機器筐体の大きさに変更があった場合のガイドピンの位置変更作業で、２つの該ガイドピンの位置調整を同時に行え作業性が良く、又螺子等を前記位置決め具に付属させたままの作業となり、螺子等の落下紛失が無くなるという優れた効果を発揮する。
【発明を実施するための最良の形態】
【００１６】
以下、図面を参照しつつ本発明を実施する為の最良の形態を説明する。
【００１７】
図１〜図３は取付け台１を示しており、前記電子機器筐体１１，１５については、図示を省略している。尚、該電子機器筐体１１，１５を取付けた状態は、図９で示されている状態と同様である。又、図１〜図３中、図８〜図１０で示したものと同等のものには同符号を付してある。
【００１８】
前記取付け台１の前端左右には、ファスナ４，４が設けられており、前記取付け台１の後部には位置決め具１７が設けられている。尚、前記ファスナ４については、図８〜図９で示したものと同様であるので以下説明を省略する。
【００１９】
前記取付け台１は、両側部１ａが厚肉で、中央部は薄肉のプレート部１ｂとなっており、該プレート部１ｂには前後方向に延びる左右２本のスリット１８，１８が穿設され、前記位置決め具１７は前記スリット１８に沿って前後方向に移動可能となっている。又、前記取付け台１と前記位置決め具１７とは後述する位置決め螺子２７によって固定される様になっており、前記取付け台１には位置決め螺子孔３０が穿設されている。
【００２０】
図４〜図６は、前記位置決め具１７を示している。
【００２１】
前記取付け台１の幅と同等の長さを有するスライドプレート１９の両端に、位置決めブロック２１，２１が螺子等所要の固着手段により固着されている。前記スライドプレート１９の下面には、スペーサ２２を介してガイド板２３が螺子２４により固着されている。前記スペーサ２２の厚みは、前記プレート部１ｂの厚みより僅かに厚くなっており、又前記スペーサ２２は前記スリット１８に摺動自在に嵌合している。前記ガイド板２３は、前記スペーサ２２が前記スリット１８に嵌合した状態から抜脱することを防止している。
【００２２】
前記位置決めブロック２１を図７を参照して説明する。
【００２３】
前記位置決めブロック２１は前方に突出するテーパ状のガイドピン６を有し、又上下に貫通する螺子孔２５が穿設されている。該螺子孔２５には中途部に雌螺子部２６が形成され、該雌螺子部２６を挾んで下部、上部に非螺子部が形成され、該非螺子部の径は前記雌螺子部２６の谷径より更に大きくなっている。
【００２４】
前記螺子孔２５には前記位置決め螺子２７が貫通し、該位置決め螺子２７は軸部の先端部に雄螺子部２８が形成され、該雄螺子部２８を除く非螺子部の外径は前記雌螺子部２６の山径より小さくなっている。又、前記螺子孔２５の下部非螺子部２５ａの長さは前記雄螺子部２８の長さより長くなっており、前記位置決め螺子２７と前記螺子孔２５とは抜止め螺子の関係となっている。
【００２５】
又、前記位置決め螺子２７のボルト頭２９は、締付けに工具を必要としない形状となっており、例えば蝶ボルト、ローレットボルト形状となっている。図示では蝶ボルトを示している。
【００２６】
前記螺子孔２５には前記雌螺子部２６と前記ボルト頭２９との間に介設される様、圧縮スプリング３１が嵌装されている。従って、前記位置決め螺子２７は前記圧縮スプリング３１により上方へ付勢されている。
【００２７】
前記取付け台１に穿設された前記位置決め螺子孔３０は、前記スリット１８に沿って前後複数箇所（図では前後２箇所）に穿設されている。
【００２８】
本実施の形態に於ける、前記電子機器筐体１１を前記取付け台１に取付ける場合を図７を参照して説明する。
【００２９】
前記位置決め具１７を前記取付け台１の後端迄移動させ、後側の前記位置決め螺子孔３０と前記位置決め螺子２７とを位置合せする。該位置決め螺子２７を押しながら回して前記雄螺子部２８と前記位置決め螺子孔３０とを螺合させ、更に締付け、前記位置決め具１７を前記取付け台１に固定する。
【００３０】
前記電子機器筐体１１背面の係合孔を前記ガイドピン６に嵌合させ、更にフック１３（図９参照）を前記ファスナ４で固定し、前記電子機器筐体１１を前記取付け台１に取付ける。
【００３１】
大きさの小さい前記電子機器筐体１５を取付ける場合は、前記位置決め具１７を前側に移動する。
【００３２】
図７に示される様に、前記位置決め螺子２７を緩め、前記雄螺子部２８と前記位置決め螺子孔３０との螺合を解除すると、前記圧縮スプリング３１の付勢力で前記位置決め螺子２７が上方に押上げられ、前記雄螺子部２８は前記螺子孔２５の下部非螺子部２５ａに収納され、前記取付け台１の上面からは浮上がった状態となっている。
【００３３】
左右の前記位置決め螺子２７を緩めると、前記位置決め具１７はスライド可能となり、該位置決め具１７を前記スリット１８に沿って前方に移動する。
【００３４】
前記螺子孔２５を前側の前記位置決め螺子孔３０に合致させ、前記位置決め螺子２７を下方に押下げながら、該位置決め螺子２７を前記位置決め螺子孔３０に締込む。左右の前記位置決め螺子２７を締込むことで、前記位置決め具１７の移動、位置決めが完了する。
【００３５】
前記電子機器筐体１５の取付けが可能となり、前記電子機器筐体１１を取付けたと同様の手順で前記電子機器筐体１５を前記取付け台１に取付ける。
【００３６】
前記位置決め具１７の移動作業で、該位置決め具１７は前記ガイド板２３を介して前記スリット１８から外れない様になっており、前記位置決め螺子２７は緩めた状態でも抜止め螺子となっているので、該位置決め螺子２７も外れることはない。従って、前記位置決め具１７の移動作業で螺子等の部品を落下、或は紛失することがない。更に、前記位置決め螺子２７は蝶ボルトとなっているので、移動作業に工具は必要なく、作業性がよい。
【００３７】
尚、ドライバ、スパナ等の工具が用意できる作業環境の場合は、前記位置決め螺子２７の頭は６角ボルト、或は鍋小螺子等であってもよい。又、前記圧縮スプリング３１は省略することもできる。
【００３８】
更に、前記取付け台１の底面に障害物等がある場合で、前記スリット１８を設けることができない場合は、前記スペーサ２２、前記ガイド板２３を省略し、前記位置決め具１７を前記取付け台１から取外すことができる様にしてもよい。この場合も、２つの前記位置決めブロック２１を一体に着脱できるので作業性はよく、ボルト等の落下、紛失を防止できる。
【図面の簡単な説明】
【００３９】
【図１】本発明の実施の形態に使用される取付け台の平面図である。
【図２】該取付け台の正面図である。
【図３】図２のＡ−Ａ矢視図である。
【図４】本発明の実施の形態に使用される位置決め具の平面図である。
【図５】該位置決め具の正面図である。
【図６】該位置決め具の側面図である。
【図７】図１のＢ−Ｂ断面図である。
【図８】従来の電子機器筐体の取付け構造を示す組付け前の斜視図である。
【図９】従来の電子機器筐体の取付け構造を示す組付け後の斜視図である。
【図１０】従来の電子機器筐体の取付け構造を示し、小型の電子機器筐体を組付ける前の斜視図である。
【符号の説明】
【００４０】
１              取付け台
４              ファスナ
６              ガイドピン
１１            電子機器筐体
１５            電子機器筐体
１７            位置決め具
１８            スリット
１９            スライドプレート
２１            位置決めブロック
２３            ガイド板
２５            螺子孔
２７            位置決め螺子
３０            位置決め螺子孔
３１            圧縮スプリング
【図１】
2006351879.tif 000003
【図２】
2006351879.tif 000004
【図３】
2006351879.tif 000005
【図４】
2006351879.tif 000006
【図５】
2006351879.tif 000007
【図６】
2006351879.tif 000008
【図７】
2006351879.tif 000009
【図８】
2006351879.tif 000010
【図９】
2006351879.tif 000011
【図１０】
2006351879.tif 000012